(57)【要約】      （修正有）【課題】ペットボトル、スチールアルミ缶の空き容器の一体集積化を図り減容の可能な機能を具備し、キャップ付のみ残しペットボトルの減容に耐える減容装置及び減容装置を内装した収容箱を提供する。【解決手段】矩形状枠体２内に対向配置した長短一対のローラ３、４と短ローラに連結する非磁性ドラム５と両ローラを駆動するモーター６と歯車列とペットボトルの押込み手段８とを備える。一対のローラは外周面に沿って尖り部材１２と円孔１３とを交互に連設して回転時に一方のローラの尖り部材の先端部が他方のローラの円孔に入り込むようにしてあり、非磁性ドラムはローラとは異径に形成してその内側に半外周面部にマグネットを設けた取付部材を遊嵌し、歯車列は長ローラの駆動力を短ローラに伝達して両ローラが内側に回転するように設け、押込み手段は短ローラの回転に連動して上下動する押えパッド５３を設けペットボトルを両ローラ間に押し込む。【選択図】図１
0003186009.tif 000002
【実用新案登録請求の範囲】
【請求項１】
ペットボトル、アルミ缶及びスチール缶の飲料容器の減容装置であって、矩形状枠体内に所定間隔を置いて対向配置した長短一対のローラと、短ローラに連結して一体回転する非磁性ドラムと、両ローラを回転駆動する減速機モーターと、該モーターの回転力を伝達する歯車列と、ペットボトルの押込み手段とを備えてなり、上記一対のローラは夫々、対向する外周面に沿って尖り部材と該尖り部材の先端部が入る円孔とを交互に連設して、回転時に一方のローラの尖り部材の先端部が他方のローラの円孔に入り込むようにしてあり、上記非磁性ドラムは、前記ローラとは異径に形成してその内側に、半外周面部にマグネットを設けた取付部材を非接触となるように嵌装すると共に、前記取付部材はマグネットを内側に向けて片持ち固定してあり、上記歯車列は、矩形状枠体の駆動モーターとは反対側側壁に設けて、長ローラの駆動力を短ローラに伝達して両ローラが互いに内側に回転するように設けてあり、また、上記押込み手段は、前記短ローラの回転に連動して上下動する押えパッドを設けて、該押えパッドによりペットボトルを両ローラ間に押し込むようにしてあることを特徴とする減容装置。  
【請求項２】
ペットボトル、アルミ缶及びスチール缶の飲料容器の減容装置であって、矩形状枠体内に所定間隔を置いて対向配置した一対のローラと、両ローラを回転駆動する減速機モーターと、該モーターの回転力を伝達する歯車列と、ペットボトルの押込み手段とを備えてなり、前記各ローラは同じ長さに形成してあり、その各外周面には軸方向の一側端部から略中央部に亘って尖り部材と該尖り部材の先端部が入る円孔とを交互に多数連設して、回転時に一方のローラの尖り部材の先端部が他方のローラの円孔に入り込むようにしてあり、前記歯車列は、矩形状枠体の駆動モーターとは反対側側壁に設けて、一方のローラの駆動力を他方のローラに伝達して両ローラが互いに内側に回転するように設けてあり、前記押込み手段は、前記ローラの回転に連動して上下動する押えパッドを設けて、該押えパッドによりペットボトルを両ローラ間に押し込むようにしてあることを特徴とする減容装置。
【請求項３】
上記請求項１又は２記載の減容装置を内装した収容箱であって、上側にペットボトル、アルミ缶及びスチール缶の各投入口を配し、投入口下側に減容装置を配すると共に、当該減容装置の下方には、減容されたペットボトル、スチール缶及びアルミ缶の各貯留箱を夫々設けるか又は移送コンベヤを設けて被減容材を外に排出し得るようにしてあることを特徴とする収容箱。  
【考案の詳細な説明】
【技術分野】
【０００１】
本考案は、ペットボトルとアルミ製及びスチール製の空き缶を、減速機モーターを利用して圧縮減容するための装置、また永久磁石を利用して自動的にアルミ缶・スチール缶を識別し分別する減容装置、また減容装置を内装した収容箱に関する。
【背景技術】
【０００２】
従来、この種装置としては、ペットボトルと空き缶の減容を別々の機械により行っているものが多いが、一体化したものは、ペットボトルのほかにアルミ缶とスチール缶の減容機が加わると共にアルミ缶とスチール缶の分別装置を加えねばならず、装置全体が大型化し、機械強度や信頼性の確保が難しく、又、減容品の貯留箱なども小型化し、減容した容器を頻繁いに運び出さなければならないなどの煩雑さがあった。
また、強度的にも、ペットボトルの飲み残しにある物や、期限切れの中身が満タンに  入ったキャップ付の容器が投入された場合では、減容する際に、機械側に過大な力が加  わり、信頼性・耐久性に欠けるものが少なくなかった。
更に、減速機モータの駆動力をチェーンを用いて伝えるものが殆どであって、長期の  稼動は、チェーンの伸びを定期的に調整するなどの保守整備が必要であった。  
【特許文献１】実開平７−３８８９
【考案の開示】
【考案が解決しようとする課題】
【０００３】
本考案は、ペットボトル、スチール缶及びアルミ缶の３種の飲料容器の一体集積化を図り、３種類の容器減容の可能な機能を具備すると同時に、装置のシンプル・コンパクト化及び低廉化を図り、キャップ付のみ残しペットボトルの減容に耐える強度と信頼性を付加した優れた機械を提供する。又、併して、チェーンの伸び調整などの不要な、保守整備の簡単（メンテナンスフリー）な機械を提供するものである。
【課題を解決するための手段】
【０００４】
この考案は、ペットボトル、アルミ缶及びスチール缶の空き容器の減容装置機を提供するものであって、矩形状枠体内に所定間隔を置いて対向配置した長短一対のローラと、短ローラの端部に連結した非磁性ドラムと、両ローラを回転駆動する減速機モーターと、該モーターの回転力を伝達する歯車列と、ペットボトルの押込み手段とを備えてなる。
而して、上記一対のローラは夫々、対向する外周面に亘り尖り部材と該尖り部材の先端部が入る円孔とを交互に連設して、回転時に一方のローラの尖り部材の先端部が他方のローラの円孔に入り込むようにしてある。
また、上記非磁性ドラムは、前記ローラとは異径に形成してその内側に、半外周面部にマグネットを設けた取付部材を非接触となるように嵌装すると共に、前記取付部材はマグネットを内側に向けて片持ち固定してある。
また、上記歯車列は、矩形状枠体の駆動モーターとは反対側側壁に設けて、長ローラの駆動力を短ローラに伝達して両ローラが互いに内側に回転するように設けてある。
更に、上記押込み手段は、前記短ローラの回転に連動して上下動する押えパッドを設けて、該押えパッドによりペットボトルを両ローラ間に押し込むようにして構成してある。
【０００５】
前記両ローラの円孔は、凡そ数十ミリ直径に形成してあり、一方のローラの円孔には他方のローラの尖り部材が位置するように配置してある。
又、長ローラと短ローラ間には、数ミリから５０数ミリ台の機能や製品価格に応じた間隙を設け、この間隙厚さにペットボトルを圧縮減容する。而して、本装置にペットボトルを投入すると、両ローラの回転力に引き込まれながら外周に設けた尖り部材と円孔とでボトルへの穴あけと圧縮を同時に行いながら容器を減容する事ができる。
【０００６】
ペットボトルがキャップ付きの飲み残しのある物や中身が期限切れなどで満タンに入ったキャップ付きのものが投入された場合、投入品の剛性が高いため、前記尖り部材と円形穴のみでは引き込み力が不足し圧縮減容する事が困難であったが、ペットボトルを圧縮ローラ間に押し込むための押込み装置を設けることにより、キャップ付きの飲み残しボトルの場合でも圧縮減容が可能となる。
【０００７】
アルミ缶及びスチール缶の圧縮減容は、対向する長ローラと非磁性ドラム間には、ペットボトルの場合と同様に数ミリから３０数ミリ台の間隙を設けてあるので、該ローラと非磁性ドラムを内側に向かって回転させる事で、缶に引き込み力を与え圧縮減容する事が可能となる。この場合、長ローラと非磁性ドラムの直径を変え、互いの周速に差異を与える事で、引き込み力を増加させることも出来る。  
またアルミ缶とスチール缶の分別は、アルミ缶は圧縮後そのままま落下し、真下に設けたアルミ減容品貯留箱に貯留されるが、スチール缶の場合は、非磁性ドラムの中に収容されたマグネットの作用で、圧縮された缶がドラムの外周に吸着されたまま、アルミ缶貯留箱を離れ磁石の無い位置まで運ばれた上で、スチール缶貯留箱内に落下し貯留される。
【０００８】
更に空き缶の減容率を最大にする為に、対向する長ローラと非磁性ドラム間の間隙を最小にすると、缶の引き込みが周速の差異では弱くなるが、そのような場合には、ペットボトル圧縮側に設けた押し込み装置を缶圧縮側にも設ける事も可能である。
【０００９】
また、本考案においては、矩形状枠体内に所定間隔を置いて対向配置した一対のローラを同じ長さに形成すると共に、その各外周面には軸方向の一側端部から略中央部に亘って尖り部材と該尖り部材の先端部が入る円孔とを交互に多数連設して構成する場合もある。  この場合には、ペットボトルと空き缶の減容を行い、減容されたアルミ缶とスチール缶の選別を、別途設けた磁気分別装置で行うようにするものである。
【００１０】
また、本考案に係る収容箱は、上記減容装置を使用したものであって、上側部にペットボトル、アルミ缶及びスチール缶の各投入口を配し、該投入口下側に上記減容装置を配すると共に、当該減容装置の下方には、減容されたペットボトル、スチール缶及びアルミ缶の各貯留箱を夫々設けるか、又は移送コンベヤを設けて、被減容材を外に排出し得るようにしてある。又、貯留品箱の出し入れや点検整備を容易にするための扉を設け、更に減速機モーターを制御するための制御盤などを設けることも出来る。
【考案の効果】
【００１１】
本考案の減容装置によれば、ペットボトル、アルミ缶及びスチール缶の３種類の飲料容器に減容が１台の機械で可能となるばかりでなく、従来の機械では圧縮減容が困難であったキャップ付の飲み残しボトルや、期限切れの満タンボトルの圧縮減容が可能となる。
また、アルミ缶とスチール缶の圧縮減容のほかに、双方の材質の分別も信頼性が高く、確実に行うことが可能となる。
また、動力伝達手段として、従来のチェーン方式に替えて歯車列を用いたので、チェーンの伸び調整などの不要となり、従来の同種機械に比し保守管理も容易となる。
また、本考案の減容装置は、構造がシンプルで小型であることから、収容機内に装着することが容易であると共に、同じ機械収容容積の場合、減容品の貯留箱等を大きく取ることができるようになり、機械からの搬出回数が低減される等の取り扱い上の優位点も増える利点がある。
【実施例１】
【００１２】
以下、添付図面に従って、本考案の実施例を説明する。
図１乃至図４において、１は本考案に係る減容装置であって、矩形状枠体２内に所定間隔を置いて対向配置した長短一対のローラ３、４と、短ローラ４の端部に一体に連結した非磁性ドラム５と、両ローラ３、４を回転駆動する減速機モーター６と、該モーターの回転力を伝達する歯車列７と、ペットボトルの押込み手段８とからなる。
【００１３】
前記ローラ３、４は、対向する外周面１０、１１に夫々、尖り部材１２とその先端部が入る円孔１３とを交互に多数連設してある。短ローラ４は、その外周面上にペットボトルを横にして載せ得る長さに形成してある。  
【００１４】
前記非磁性ドラム５は、図５に示すように、５ステンレス材を用いて短ローラ４より小径に形成してあり、エンドプレート１５のフランジ部２６に、短ローラ４の回転軸２５をブラケット１６を介して連結して、ローラ４と一体に回転し得るようにしてある。なお、前記ブラケット１６は枠体２に強固に取付けられている。
而して、前記ドラム５の内側には、マグネット１８を半外周面部に取付けた円筒形状取付部材１７を非接触となるように嵌装すると共に、マグネット１８が内側を向くようにして枠体２に片持ち固定２７してある。
【００１５】
而して、長ローラ３は、その両軸端を軸受け２０、２１により軸支してあり、短ローラ４と非磁性ドラム５は、短ローラ４の一方の軸端を軸受２２で軸支し、連結軸部を前記ブラケット１６の軸受２３で軸支すると共に、取付部材１７の取付軸１９を非磁性ドラム５の外側面に設けた軸受２４で軸支してある。なお、上記各軸受けは、負荷容量に充分余裕のある物を選択することとし、ローラ３、４と非磁性ドラム５が、ペットボトルの減容時にも高い剛性を保持しながら回転が可能となる。
【００１６】
前記減速機モータ６は、図１及び図２に示すように、その出力軸と長ローラ３の回転軸とを継手３０により連結して、その駆動力を長ローラ３に伝達するようにしてある。
【００１７】
また、前記歯車列７は、図２に示すように、枠体２の減速機モータ１とは反対側側壁に設けてあり、長ローラ３の回転軸の端部に設けた歯車４０と、短ローラ４の回転軸の端部の設けた歯車４１とをアイドラー歯車４２、４３を介して結合してあり、減速機モーター６により両ローラ３、４及び非磁性ドラム５とが互いに内側に向かって回転するように構成してある。
【００１８】
更に、前記ペットボトルの押込み装置８は、短ローラ４の軸端の歯車４１に取付けてクランク運動を構成するレバー５０と、当該レバーの回転を直線運動に変換するリンク５１と、当該リンクで上下に揺動するアーム５２を設けると共に、該アーム５２の内側先端部にはパッド５３を設けてなり、該パッドでペットボトルを、長ローラ３と短ローラ間に押し込み得るように形成してある。
なお、図１乃至図４に、レバー５０、リンク５１、アーム５２及びパッド５３がクランク運動を行う作動図を示しており、図１及び図２は、ペットボトルａの押し込み装置のアーム５２が最上方まで上がった状態を示し、図３及び図４はアーム５２が最下方まで下がった状態を示す。
【００１９】
ペットボトルの減容は、長ローラ３と短ローラ４間には、数ミリから５０数ミリ台の機能や製品価格に応じた間隙を設けて、両ローラ３、４を内側に向かって回転させる事により、この間隙厚さにペットボトルを圧縮減容する
これに対し、アルミ缶及びスチール缶の圧縮減容は、長ローラ３と非磁性ドラム６間に、数ミリから３０数ミリ台の間隙を設け、長ローラ３とステンレスドラム６を内側に向かって回転させる事で、缶に引き込み力を与え双方の缶を圧縮する事が可能となる。この場合、長ローラ３と非磁性ドラム６の直径を変え、互いの周速に差異を与える事で、引き込み力を増加させることが出来る。
【００２０】
図６は、上述した減容装置１を内装した収容箱６０を示しており、上側部にペットボトル、アルミ缶及びスチール缶の各投入口６１、６２を夫々配し、該投入口の下側に減容装置１を配すると共に、減容装置１の下方には、図示省略したが、減容されたペットボトル、アルミ缶及びスチール缶の各貯留箱を夫々並置してある。
また、前記投入口６１、６２には光センサー６３を夫々設けてあり、被減容物が投入されたことを検知すると、その検知信号が制御盤（図示省略）を経由して減速機モータ１に送られ、自動的に減速機モーターが作動するようにしてある。６４は被減容物のガイド板、６５は減容装置１の点検扉、６６、６７は空き缶貯留箱とペットボトル貯留箱の出し入れ扉を夫々示す。なお、各減容品の貯留箱を設ける代わり、減容装置の下方に移送コンベヤを設けて、被減容材を外に排出し得るようにしもよい
【００２１】
次に、本考案に係る減容装置の動作について説明する。
まず、ペットボトルの減容について説明する。
ペットボトルａが収容機２５の投入口６１から投入されると、光センサ６３の光を切ることにより、投入信号が制御盤（図示省略）を経由して減速機モータ１に送られ、自動的に減速機モーターが作動し始める。減速機モーター１の駆動力はローラ３を駆動すると共に歯車列１２を介しローラ４を駆動する。
ペットボトルａがガイド板によりローラ３、４間に落下すると、押し込み装置のパッド１５が下降して、上方からペットボトルを強く押し込むので、ペットボトルはローラ３，４の回転力により、両ローラ間の間隙厚さに圧縮減容される。
その際、キャップ付が付いた飲み残しのボトルや中身が満タンのペットボトルなどが投入された場合は、尖り部材１２の先端部が円孔１３内に入り込むので、ペットボトルａに穴を開けて中の液体を排出しながら圧縮減容することができる。
【００２２】
次に、空き缶の減容について説明する。
空き缶ｂが収容箱６０の投入口６２から投入されると、投入口に設けられた光センサ６３の光を切ることになり、投入信号が制御盤（図示省略）を経由し減速機モータ１に送られ、自動的に減速機モータが作動し始める。
なお、ペットボトルの投入口６１には光センサ６３のみ取付けるが、空き缶の投入口６２には、当該センサーの他に、スチールとアルミの材質を識別するために近接センサーを取り付けることがある。
前記減速機モーター１の駆動力は、ローラ３とローラ４に連結した非磁性ドラム５を回し、空き缶ｂはローラ３と非磁性ドラム５間に落下すると、両回転体はその外径が相違しているので周速度が異なるため、空き缶をローラ３とドラム５の間隙に引き込み、その間隙の寸法に相当する厚さに圧縮減容する。
而して、減容されたアルミ缶は、吸着部材の磁力に反応しないため圧縮されたまま真下に配置されたアルミ缶貯留箱に落下するが、減容されたスチール缶の場合は、非磁性ドラム６の中に収容された取付部材１７の磁力によりドラム５の外周に吸着され、マグネットの無くなるまで位置まで回転移動し、そこで始めてドラム５からはなれ、スチール缶貯留箱に落下する。つまり、アルミ缶貯留箱の真上を通り過ぎ、スチール缶貯留箱の真上まで移動したところで箱内に落下するように作用する。
【００２３】
上記実施例の減容装置においては、長ローラ３と短ローラ４とでペットボトルの減容を行い、長ローラ３と短ローラ４に連結した非磁性ドラム５で金属缶の減容を行うと共に、非磁性ドラム５内の設けた吸着部材でアルミ缶とスチール缶との選別を自動的に行うようにしてあるが、上記実施例と同じ構成の長ローラ３を一対対向配置することにより、ペットボトルと空き缶の減容を行い、アルミ缶とスチール缶の選別を、別途設けた磁気分別装置で行うように構成する場合がある。  
【図面の簡単な説明】
【００２４】
【図１】ペットボトルが投入された状態を示す減容装置の斜視図である。
【図２】同上側面図である。
【図３】ペットボトルを圧縮されている状態を示す減容装置の斜視図である。
【図４】同上側面図である。
【図５】短ローラと非磁性ドラムを分解した状態を示す斜視図である。
【図６】減容装置を内装した収容箱の外観図である。
【図７】図６における一部縦断面図である。
【符号の説明】
【００２５】
１    減容装置
２    矩形状枠体  
３    長ローラ
４    短ローラ  
５    非磁性ドラム  
６    減速機モータ    
７    歯車列  
８    押込み装置  
１０  外周面
１１  外周面
１２  尖り部材
１３  円孔  
１５  エンドプレート  
１６  ブラケット  
１７  取付部材
１８  マグネット
１９  取付軸  
３０  継ぎ手
４０  歯車  
４１  歯車
４２  アイドラー歯車
４３  アイドラー歯車
５０  レバー
５１  リンク
５２  アーム
５３  押込みパッド
６０  収容箱
６１  空き缶投入口  
６２  ペットボトル投入口
６３  光センサー
６４  ガイド板
【図１】
0003186009.tif 000003
【図２】
0003186009.tif 000004
【図３】
0003186009.tif 000005
【図４】
0003186009.tif 000006
【図５】
0003186009.tif 000007
【図６】
0003186009.tif 000008
【図７】
0003186009.tif 000009